(57)【特許請求の範囲】
【請求項１】
構造物（２）の開口部（７）を遮蔽するシャッター部材（１０）にロック片（４１，４７）をスライド可能に取り付けると共に、該ロック片（４１，４７）が嵌合される収容部（６０）を前記構造物（２）の開口部（７）の近傍に設け、
前記シャッター部材（１０）を遮蔽方向に揺動させるための操作部材（３０）をスライド操作することによって、前記ロック片（４１，４７）がスライドされて、前記収容部（６０）に嵌合されるように構成したことを特徴とするシャッター。
【請求項２】
裁断刃（５）による細断屑の排出路（７）を遮蔽するシャッター部材（１０）と、該シャッター部材（１０）を遮蔽方向に揺動させる弾性部材（２０）と、ハウジング（４）内部に向けてのスライド操作によって前記弾性部材（２０）を付勢させる屑箱（３０）と、からなるシャッター（１）において、
前記シャッター部材（１０）にロック片（４１，４７）をスライド可能に取り付けると共に、該ロック片（４１，４７）が嵌合される収容部（６０）を前記排出路（７）の近傍に設け、前記屑箱（３０）を前記ハウジング(４)から引き出す方向にスライドさせることによって、前記シャッター部材（１０）が遮蔽方向に揺動すると共に、ロック片（４１，４７）がスライドされて、前記収容部（６０）に嵌合されるように構成したことを特徴とするシャッター。
【発明の詳細な説明】
【技術分野】
【０００１】
本発明は、揺動式のシャッターに関し、特に、開放状態のシャッターを遮蔽してロックされるようにしたシャッターに関する。
【背景技術】
【０００２】
揺動によって構造物の開口部を開閉する遥動式シャッターは、スライド式のシャッターとは異なり、開口部と同一平面上にシャッターがスライドされる領域を設ける必要がないので、スペース上の制約がある小型の構造物に多用されている。
例えば、卓上型シュレッダーのように、ハウジング内に裁断刃を設け、その下方に屑箱を引き出し可能に設けたものにおいては、屑箱を引き出した際に裁断刃が露呈されないようにするために、裁断刃と屑箱との間に揺動式のシャッターが設けられることが多い。
【０００３】
特開昭６１−２６８３６３号公報には、裁断刃と屑箱の間にシャッターを設けたシュレッダーが開示されているが、この場合、下端部を中心に前方に揺動される扉の内側に、屑箱を着脱可能に設け、扉の上端部を手前に引き出すことによって、下端部を中心に屑箱が揺動され、屑箱の奥側の上端部が、シャッターの揺動端部を上方に押し上げることによって、遮蔽されるようになっている。
【０００４】
即ち、屑箱がハウジング内に収納されている際は、シャッターは、開放状態が維持されるように、ハウジングに設けられたバネによって位置規制されているが、扉を引き出して屑箱を揺動させた際に、屑箱の奥側の上端部によってシャッターの揺動端部を押し上げ、その拍子にバネを弾性変形させて乗り越え、シャッターが遮蔽方向に揺動される。
このように構成することで、扉を引き出すと同時に、屑箱の回動によってバネによる位置規制が解除されてシャッターが遮蔽方向に揺動し、シュレッダーの裁断刃と屑箱の間が遮蔽されるようにできる。
【０００５】
しかしながら、シャッターの遮蔽状態がロックされていないので、手で開放することができ、裁断刃に手が触れる危険性がある。
また、屑箱が扉の内側に嵌合状態で収容されているので、屑を排出する際には、扉の上端部を引き出して揺動させるための動作と、屑箱を扉から取り外すための動作とが必要であり、屑箱を引き出して瞬時に屑を捨てることができない。
【先行技術文献】
【特許文献】
【０００６】
【特許文献１】特開昭６１−２６８３６３号公報
【発明の概要】
【発明が解決しようとする課題】
【０００７】
そこで、本発明は、揺動式のシャッターにおいて、シャッターが自動的に遮蔽され、遮蔽された際に自動的にロックされる機構を簡単な構成で実現することを目的とする。
【課題を解決するための手段】
【０００８】
上記課題を解決するために、本発明に係るシャッターは、構造物の開口部を遮蔽するシャッター部材にロック片をスライド可能に取り付けると共に、該ロック片が嵌合される収容部を前記構造物の開口部の近傍に設け、前記シャッター部材を遮蔽方向に揺動させるための操作部材をスライド操作することによって、前記ロック片がスライドされて、前記収容部に嵌合されるように構成したことを特徴とするものである。
また、裁断刃による細断屑の排出路を遮蔽するシャッター部材と、該シャッター部材を遮蔽方向に揺動させる弾性部材と、ハウジング内部に向けてのスライド操作によって前記弾性部材を付勢させる屑箱と、からなるシャッターにおいて、前記シャッター部材にロック片をスライド可能に取り付けると共に、該ロック片が嵌合される収容部を前記排出路の近傍に設け、前記屑箱を前記ハウジング外部に向けてスライドさせることによって、前記シャッター部材が遮蔽方向に揺動すると共に、ロック片がスライドされて、前記収容部に嵌合されるように構成したことを特徴とするものである。
【発明の効果】
【０００９】
請求項１に係るシャッターは、構造物の開口部を遮蔽するシャッター部材にロック片をスライド可能に取り付けると共に、該ロック片が嵌合される収容部を前記構造物の開口部の近傍に設け、前記シャッター部材を遮蔽方向に揺動させるための操作部材をスライド操作することで、前記ロック片がスライドされて、前記収容部に嵌合されるように構成したので、シャッターを遮蔽状態でロックすることができる。
請求項２に係るシャッターは、裁断刃による細断屑の排出路を遮蔽するシャッター部材と、該シャッター部材を遮蔽方向に揺動させる弾性部材と、ハウジング内部に向けてのスライド操作によって前記弾性部材を付勢させる屑箱と、からなるシャッターにおいて、シャッター部材にロック片をスライド可能に取り付けると共に、そのロック片が嵌合される収容部を前記排出路の近傍に設けることで、屑箱をスライドさせることによってシャッター部材が遮蔽方向に揺動すると共に、ロック片がスライドされて、収容部に嵌合されるようにしたので、シャッターを遮蔽状態でロックすることができ、屑箱が引き出された際に生ずる空間部から裁断刃へのアクセスを防止することができる。
【図面の簡単な説明】
【００１０】
【図１】本発明の実施形態に係るシャッターが適用されるシュレッダーであり、（ａ）はロック部の位置における縦断面図であり、（ｂ）はシュレッダーの上部を取り外してシャッターが見える状態にした斜視図である。
【図２】屑箱を引き出した状態の上記シュレッダーであり、（ａ）はロック部の位置における縦断面図であり、（ｂ）はシュレッダーの上部を取り外してシャッターが見える状態にした斜視図である。
【図３】本発明に係るシャッターを示す斜視図である。
【図４】上記シャッターを分解した状態を示す斜視図である。
【図５】上記シャッターのバネ付勢部を示す斜視図である。
【図６】屑箱の係止凹部にシャッター部材の係止凸部が係止する状態を示す説明図であり、（ａ）は当接部が押圧される状態、（ｂ）は当接部が押圧されて回転し係止凸部が係止凹部に向かう状態、（ｃ）は係止凸部が係止凹部に係合する状態を示す。
【図７】シュレッダーをロック部の位置で切断した縦断面図であり、（ａ）は屑箱を収納した状態、（ｂ）は屑箱を引き出してシャッターをロックさせる状態、（ｃ）はロックされた状態を示す。
【図８】屑箱を示す斜視図である。
【図９】ロック片が収容部に嵌合される状態を示す説明図であり、（ａ）はロック前、（ｂ）はロック操作中、（ｃ）はロック後を示す。
【図１０】屑箱がハウジング内に押し込まれる状態を示す斜視図であり、（ａ）はハウジングから出された状態、（ｂ）は収納される状態、（ｃ）は収納された状態を示す。
【図１１】シャッター部材が屑箱に係止される状態を示す要部斜視図である。
【図１２】ハウジングの底部の状態を示す縦断面図である。
【図１３】上記ロック部の変形例を示す要部斜視図である。
【発明を実施するための形態】
【００１１】
本発明の好適な実施形態について、添付図面に基づいて説明する。なお、実施形態は以下の形態に限定されるものではなく、本発明の課題を解決し得るものであれば他の態様も可能である。
【００１２】
図１（ａ）は、本発明の実施形態のシャッター１が適用されるシュレッダー２を示す断面図である。このシュレッダー２は、紙やコンパクトディスクなどのシート状の被細断物を裁断するものであり、投入口３から投入された被細断物を、ハウジング４の内部に設けられた裁断刃５で裁断処理し、裁断刃５の下方に設けられた屑箱３０に排出するようになっている。
【００１３】
このシュレッダー２のハウジング４の正面には屑箱３０が引き出し可能に収容されている。  
ハウジング４の上面には、シート材を投入するための投入口３が設けられている。
投入口３の下方には、シート材を線状にカットするための一対の裁断刃５と、その下方にクロスカット用の裁断刃５’が配設されている。裁断刃５は、筒状体の周面に鋭利な刃を多数設けたもので、２本の筒状体は水平に並列させて配置され、両端部において回転可能に支承されている。クロスカット用の裁断刃５’筒状体の周面に裁断を螺旋状に設けたものである。
【００１４】
これらの裁断刃５の上方には、図示しないセンサが取り付けられており、そのセンサが被細断物の通過を検知することによって、駆動モータ８が作動して裁断刃５が回転し、その間を通過する被細断物が細かく裁断される。
細断された屑は、裁断刃５の下方に配置された屑箱３０に排出される。
【００１５】
裁断刃と屑箱の間には、本発明に係るシャッター１が配設されている。
このシャッターは、図１（ｂ）に示すように、裁断刃５の下方に配設される仕切り壁６に開口された排出路７に揺動可能に配設されており、図２に示すように、屑箱３０が引き出された際に、排出路７を遮蔽することで、屑箱３０が引き出された際に生ずる空間部から裁断刃５へのアクセスを防止している。
【００１６】
このシャッター１の構成を、図３を参照して説明する。
シャッター１は、シャッター部材１０と、弾性部材としての捩りコイルバネ２０と、操作部材としての屑箱３０とを含んで構成されており、シャッター１が閉じた際に自動的にロックされる自動ロック機能と、シャッターが開放された際に、その開放状態が自動的に維持されるようにする開放維持機能を有することを特徴とするものである。
【００１７】
シャッター部材１０は、排出路７を遮蔽する遮蔽部１１と、捩りコイルバネ２０の弾性力を遮蔽部１１に作用させるバネ付勢部１２と、このシャッター部材１０を揺動させる枢支軸１３と、シャッター部材１０を遮蔽状態でロックさせるロック部４０と、を含んで構成される。
遮蔽部１１は、仕切り壁６に設けられた排出路７を遮蔽できる大きさの板状部材からなるもので、図４に示すように、後述するロック片４１をスライド可能に取り付けるための小孔４２とガイド壁４３を、揺動端部の２ヶ所に設けている。
【００１８】
この遮蔽部１１の両側に、バネ付勢部１２が連設されている。このバネ付勢部１２は、屑箱３０をハウジング内に押し込んでシャッター１の開放する際に、屑箱３０による押圧を受けて捩りコイルバネ２０を付勢させるための部位である。
バネ付勢部１２の側縁部には、屑箱３０を収納方向に、スライドさせることによって、シャッターの開放状態を維持させるための機構が設けられている。この側縁部は、断面カム状に構成されており、揺動端部側の先端部には、図５に示すように、傾斜状の当接部１５と係止凸部１６とが形成されている。
【００１９】
当接部１５は、バネ付勢部１２の側縁部の下側に形成された傾斜状の平面からなる部位であり、この部位で屑箱３０からの押圧を受ける。
一方、係止凸部１６は、当接部１５の上側に連続する湾曲状の部位である。即ち、係止凸部１６は、開放方向への揺動方向Ｃとは反対側に向けて前記当接部１５から滑らかに連続させて凸状に形成されており、この凸状の先端部は、後述する屑箱３０の係止凹部３４に係合可能な形状となっている。
【００２０】
当接部１５をシャッター部材１０の枢支軸１３よりも下方に設けると共に、当接部１５を傾斜状に形成したことによって、屑箱３０をスライドさせてシャッター部材１０の当接部１５を押圧した際に作用される力Ｆを、開放方向にシャッター部材１０を揺動させる方向Ｃと、それに直交する方向に分散させることができる。
この揺動方向Ｃの力によってシャッター部材１０を確実に回転させることができるので、シャッター部材１０の回転にしたがって、シャッター部材１０の傾斜状の当接部１５から係止凸部１６へと滑りのよい湾曲面上を円滑に移動し、この係止凸部１６が屑箱３０の後述する係止凹部３４に係合されるようになる（図６参照）。
この場合、シャッター部材１０の揺動方向の法線方向に分散された力が、屑箱３０を押し下げる方向に過度に作用しないように、シャッター部材１０の枢支軸１３の配設位置が設定されている。
【００２１】
このようなシャッターの開放維持機構を有するバネ付勢部１２は、図３に示すように、遮蔽部１１との接続部において捩りコイルバネ２０の一端部を当接させることによって、シャッターを開放させる方向に、バネに付勢力を与えている。
上記遮蔽部１１とバネ付勢部１２とは、連続部１７を介して枢支軸１３に固定されている。この枢支軸１３は、ハウジング４の内壁面に設けられた取付部に揺動可能に支承されており、軸芯には、捩りコイルバネ２０のコイル部が、遊びを持たせた状態で嵌め込まれている。
【００２２】
遮蔽部１１の揺動端部には、ロック部４０が設けられている。このロック部４０には、図２に示すようにシャッター１が閉じた際に、シャッター部材１０が仕切り壁６に自動的に固定されるようにするためのロック機構が設けられている。
即ち、ロック部４０は、図４に示すように、遮蔽部１１に設けられた小孔４２内をロック片４１がスライドできるように形成されており、そのロック片４１をカバー４４で覆っている。  
【００２３】
ロック片４１の下面には突起部４５が形成されており、この突起部４５を、遮蔽部１１に設けられた小孔４２内に挿入させた状態で、ロック片４１がスライドされるようになっている。このロック片４１は、屑箱３０が引き出される方向にスライドすることによって、屑箱３０に形成された後述するロック操作部３２が突起部４５に当接し、ロック片４１を仕切り壁６に設けられた収容部６０に嵌合させる方向にスライドさせるように構成されている。
【００２４】
上記構成のシャッター部材１０の枢支軸１３には、捩りコイルバネ２０が取り付けられている。  この捩りコイルバネ２０は、シャッター部材１０のバネ付勢部１２と、ハウジング４の内壁面に設けられた取付部との間に介装されており、バネ付勢部１２によって付勢力が解除された際の弾発力によって、遮蔽方向にシャッター部材１０を揺動させる。
シャッター部材１０の下方には、屑箱３０がスライド可能に収納されている。
【００２５】
この屑箱３０は、図７に示すように、ハウジング４から引き出すことによって、取り外し可能となっている。
この屑箱３０を引き出す操作は、シャッターを遮蔽させるためのトリガーとなると共に、シャッター部材１０のロック片４１をスライドさせて仕切り壁６の収容部６０に嵌合させるためのトリガーとなる。
一方、屑箱３０を押し込む操作は、シャッターを開放させるためのトリガーとなると共に、シャッター部材１０の係止凸部１６と屑箱３０の係止凹部３４とを係合させ、シャッターの開放状態を維持させるためのトリガーとなる。
【００２６】
屑箱３０の構成を、図８を参照して説明する。
屑箱３０の正面部には、引き出す際に把持する把手部３１が設けられており、背面部にはロック操作部３２と、押圧部３３と係止凹部３４とが設けられている。
【００２７】
ロック操作部３２は、屑箱３０背面の上端部の、シャッター部材１０のロック部４０に対応する位置に設けられたもので、図７に示すように、屑箱３０を引き出す方向Ａに移動させることによって、図９に示すように、ロック片４１を仕切り壁６の収容部６０に嵌合する方向Ａにスライドさせるためのものである。
ロック操作部３２の上端部はロック片４１の突起部４５に当接する位置まで延びており、屑箱３０の引き出し方向Ａへの移動によって、突起部４５をスムーズに跳び越えることができるように、両側がテーパ状になっている。
【００２８】
屑箱３０の両側面の背面側上端部には、押圧部３３と係止凹部３４が設けられている。これらは、図１０に示すように、屑箱３０が押し込まれる方向Ｂに移動した際に、図１１に示すように、シャッター部材１０のバネ付勢部１２を押圧することで捩りコイルバネ２０を付勢し、シャッターを開放するための部位である。
詳しくは、図８に示すように、屑箱３０の側面部から背面部にかけての上端部は、四角形状に切り欠かれており、側面部の上端の角部が押圧部３３となり、押圧部３３から下方に向けて連続する凹状の角部が係止凹部３４となっている。
【００２９】
押圧部３３は、屑箱３０をハウジング４内に押し込む際に、シャッター部材１０の当接部１５を押圧する部位であり、図１１に示すように、当接部１５を水平方向に押圧することで、当接部１５に作用される力が、シャッターの開放方向（即ち、接線方向）と、その直角方向（即ち、法線方向）に分散される。この接線方向の力が捩りコイルバネ２０に作用することで、開放方向にシャッター部材１０が揺動される。
【００３０】
この際、バネ付勢部１２の係止凸部１６は、シャッター部材１０の揺動によってシャッターの開放方向Ｃに回転しているので、押圧部３３から係止凹部３４に向かう稜線上を滑らかに摺動しながら、係止凹部３４において係止されるようになる（図６参照）。
これによって、屑箱３０を収容方向に押し込む操作のみで、屑箱３０を封鎖しているシャッター部材１０を開放させ、その開放状態を維持させることが可能となる。
なお、当接部１５を押圧した際に分散された法線方向の力の一部は、屑箱３０を下方向に変位させるための抗力として働くが、この下方向への変位を防ぎ、シャッター部材１０の回転による係止凹部３４への係合を促すために、屑箱３０の押圧部３３から係止凹部３４に向かう稜線部は摩擦が少なくなるように設計されている。
ハウジング４の底面部９には、屑箱３０の出し入れが円滑になるようにレールが設けられている（図１２参照）。
【００３１】
上記構成のシャッター１の使用状態を説明する。
シュレッダー２の屑箱３０に細断屑が溜まった際には、図７のように、屑箱３０を引き出して取り出すが、この際、屑箱３０の係止凹部３４に係止されている係止凸部１６が、屑箱３０の引き出し方向Ａへの移動によって係止凹部３４から外れるので、捩りコイルバネ２０の弾発力によってシャッター部材１０が遮蔽方向に揺動される。
【００３２】
シャッター部材１０が遮蔽される際は、屑箱３０の引き出し方向Ａへの移動に従って、図９に示すように、屑箱３０のロック操作部３２が、シャッター部材１０に設けられたロック片４１をスライドさせ、仕切り壁６の収容部６０に嵌合させる。
これによって、屑箱３０を引き出した際に、シャッター１が遮蔽された状態でロックされる。
【００３３】
この屑箱３０をハウジング４に収容する際は、図１０に示すように、屑箱３０をスライドさせてシャッター部材１０の傾斜状の当接部１５を押圧し、シャッター部材１０を開放方向に揺動させ、所定の開放状態になった際に、屑箱３０の係止凹部３４にシャッター部材１０の係止凸部１６が係止されることで、シャッター１の開放状態が維持される。このため、屑箱３０がハウジング４内に収納された状態では、屑箱３０によってシャッター部材１０が押さえられ続けていなくても、シャッターの開放状態を維持することができる。
これによって、屑箱３０を引き出した際にのみ、シャッターを遮蔽するための捩りコイルバネ２０の付勢力が作用し、屑箱３０がハウジング４内に収納されている間は作用されないので、何かの拍子に屑箱３０が突然とび出したりすることがない。
【００３４】
なお、シャッター部材１０に設けられたロック部４０は、図１３に示すように、弾性部材４６によってロック片４７を嵌合方向に付勢するようにしてもよい。
この場合、シャッター部材１０の揺動によって、ロック片４７が容易に収容部６０に嵌合されるように、角部をテーパ状又はアール状に処理しておくのが好ましい。
また、当接部１５を、係止凸部１６に連続して湾曲する湾曲面としてもよいし、バネ付勢部１２の先端に当接部１５が位置するようにしてもよい。
【００３５】
なお、本発明に係るシャッターは、シュレッダーに係わらず、ハウジング内に設けられた裁断刃と屑箱との間の開口部に配設されるものに広く適用することができるが、この場合、シャッター部材と、このシャッター部材を遮蔽方向に揺動させる弾性部材と、を設け、屑箱に、シャッター部材を押圧する押圧部と、該押圧部に連続する係止凹部と、を設けると共に、シャッター部材に、押圧部が当接される当接部と、開放方向への揺動方向とは反対側に向けて当接部に連続する係止凸部と、を有する付勢部を設ける。この際、屑箱をシャッター部材を開放させる方向にスライド操作することによって、押圧部がシャッター部材の当接部を押圧し、シャッター部材を開放方向に揺動させると共に、係止凸部を係止凹部の方向に向かわせて係止させ、付勢状態を維持させるように構成すればよい。なお、操作部材は、屑箱とは別部材として設けても良い。
【産業上の利用可能性】
【００３６】
本発明は、あらゆる装置に採用される揺動式のシャッターに適用することができる。
【符号の説明】
【００３７】
１・・・シャッター
２・・・シュレッダー
３・・・投入口
４・・・ハウジング
５、５’・・・裁断刃
６・・・仕切り壁
７・・・排出路（開口部）
８・・・駆動モータ
９・・・底面部
１０・・・シャッター部材
１１・・・遮蔽部
１２・・・バネ付勢部（付勢部）
１３・・・枢支軸
１５・・・当接部
１６・・・係止凸部
１７・・・連続部
２０・・・捩りコイルバネ（弾性部材）
３０・・・屑箱（操作部材）
３２・・・ロック操作部
３３・・・押圧部
３４・・・係止凹部    
４０・・・ロック部
４１、４７・・・ロック片
４２・・・小孔
４３・・・ガイド壁
４４・・・カバー
４５・・・突起部
４６・・・弾性部材
６０・・・収容部
【図１】
0005501502.tif 000002
【図２】
0005501502.tif 000003
【図３】
0005501502.tif 000004
【図４】
0005501502.tif 000005
【図５】
0005501502.tif 000006
【図６】
0005501502.tif 000007
【図７】
0005501502.tif 000008
【図８】
0005501502.tif 000009
【図９】
0005501502.tif 000010
【図１０】
0005501502.tif 000011
【図１１】
0005501502.tif 000012
【図１２】
0005501502.tif 000013
【図１３】
0005501502.tif 000014